(57)【要約】【課題】テレビ放送を受信する全受信地点で、受信状況を改善させる。【解決手段】テレビ放送受信状況管理サーバ２０は、複数のテレビ放送受信機１０1〜１０nの各々のチャンネルごとの受信状況を示した受信状況データをネットワーク３０経由で受信し、受信した受信状況データに基づいて複数のテレビ放送受信機１０1〜１０nのいずれかにメッセージを送信する。【選択図】図１
2006094143.tif 000002
【特許請求の範囲】
【請求項１】
ネットワークに接続された複数のテレビ放送受信機と、前記ネットワークに接続され、前記複数のテレビ放送受信機の各々の受信状況を管理するテレビ放送受信状況管理サーバとを有してなるテレビ放送受信状況管理システムにおいて、
前記テレビ放送受信状況管理サーバは、
前記ネットワークを介して前記複数のテレビ放送受信機の各々に対して、テレビ放送のチャンネルごとの受信状況の計測を要求する受信状況計測要求手段と、
前記複数のテレビ放送受信機の各々から前記ネットワークを介して、テレビ放送のチャンネルごとの受信状況を示す受信状況データが送信されてきた場合、当該受信状況データをリスト化して前記複数のテレビ放送受信機の各々におけるチャンネルごとの受信状況を示す受信状況リストを作成する受信状況受信手段と、
前記受信状況リストを解析し、その解析結果に基づいて特定のテレビ放送受信機宛のメッセージを作成する受信状況リスト解析手段と、
前記受信状況解析手段にて作成されたメッセージを、前記ネットワークを介して前記特定のテレビ放送受信機に送信するメッセージ送信手段とを有することを特徴とするテレビ放送受信状況管理システム。
【請求項２】
前記複数のテレビ放送受信機の各々は、
前記テレビ放送受信状況管理サーバから前記ネットワークを介して、受信状況の計測要求が送信されてきた場合、テレビ放送のチャンネルごとの受信状況を計測する受信状況計測手段と、
前記受信状況計測手段における受信状況の計測結果を前記受信状況データとして、前記ネットワークを介して前記テレビ放送受信状況管理サーバに送信するデータ送信手段と、
前記テレビ放送受信状況管理サーバから前記ネットワークを介して前記メッセージが送信されてきた場合、当該メッセージを表示する表示手段とを有する、請求項１に記載のテレビ放送受信状況管理システム。
【請求項３】
前記データ送信手段は、前記テレビ放送受信状況管理サーバに対して前記受信状況データを送信する際に、自己のテレビ放送受信機の設置位置を示す受信機位置データを同時に送信し、
前記受信状況受信手段は、前記複数のテレビ放送受信機の各々から送信されてきた前記受信状況データおよび前記受信機位置データをリスト化して前記受信状況リストを作成する、請求項２に記載のテレビ放送受信状況管理システム。
【請求項４】
前記テレビ放送受信状況管理サーバは、所定時間ごとに信号を発信するタイマをさらに有し、前記受信状況計測要求手段は、前記タイマにて信号が発信される度に、前記複数のテレビ放送受信機の各々に対して受信状況の計測を要求する、請求項２または３に記載のテレビ放送受信状況管理システム。
【請求項５】
前記受信状況リスト解析手段は、前記受信状況リストの解析結果に基づいて、受信状況が悪い要因がテレビ放送受信機自体にあると予測されるテレビ放送受信機を前記特定のテレビ放送受信機として特定し、当該特定のテレビ放送受信機宛のメッセージを作成する、請求項２から４のいずれか１項に記載のテレビ放送受信状況管理システム。
【請求項６】
前記ネットワークに接続され、テレビ放送を受信可能な複数の移動体受信機をさらに有し、
前記複数の移動体端末の各々は、
自己の移動体端末の現在位置を示す位置情報を取得する位置情報取得手段と、
前記位置情報取得手段にて取得された位置情報を前記ネットワークを介して前記テレビ放送受信状況管理サーバに対して送信し、テレビ放送のチャンネルごとに、自己の移動体受信機の現在位置周辺の受信状況を地図上に記述した受信状況マップの作成を要求する受信状況マップ要求手段と、
前記テレビ放送受信状況管理サーバから前記ネットワークを介して前記受信状況マップが送信されてきた場合、当該受信状況マップを表示する表示手段とを有し、
前記テレビ放送受信状況管理サーバは、
前記複数の移動体端末のいずれかから前記ネットワークを介して、前記受信状況マップの作成要求が送信されてきた場合、テレビ放送のチャンネルごとに前記受信状況マップを作成する受信状況マップ作成手段と、
前記受信状況マップ作成手段にて作成されたチャンネルごとの前記受信状況マップを、当該受信状況マップの作成を要求した移動体受信機に対して前記ネットワークを介して送信する受信状況マップ送信手段とをさらに有する、請求項２から５のいずれか１項に記載のテレビ放送受信状況管理システム。
【請求項７】
前記複数の移動体端末の各々は、押下されると信号を発信するスイッチをさらに有し、前記受信状況マップ要求手段は、前記スイッチにて信号が発信される度に、前記テレビ放送受信状況管理サーバに対して前記受信状況マップの作成を要求する、請求項６に記載のテレビ放送受信状況管理システム。
【請求項８】
前記ネットワークに接続され、電波を用いてテレビ放送を送出する放送鉄塔の管理を行う放送業者が所有する放送業者端末をさらに有し、
前記放送業者端末は、
前記放送業者端末の設置位置を示す端末位置データを前記ネットワークを介して前記テレビ放送受信状況管理サーバに対して送信し、テレビ放送のチャンネルごとに、前記放送業者端末の設置位置周辺の受信状況を地図上に記述した受信状況マップの作成を要求する受信状況マップ要求手段と、
前記テレビ放送受信状況管理サーバから前記ネットワークを介して前記受信状況マップが送信されてきた場合、当該受信状況マップを表示する表示手段とを有し、
前記受信状況マップ作成手段は、前記放送業者端末から前記ネットワークを介して、前記受信状況マップの作成要求が送信されてきた場合、テレビ放送のチャンネルごとに前記受信状況マップを作成し、
前記受信状況マップ送信手段は、前記受信状況マップ作成手段にて作成されたチャンネルごとの前記受信状況マップを、前記放送業者端末に対して前記ネットワークを介して送信する、請求項６または７に記載のテレビ放送受信状況管理システム。
【請求項９】
前記放送業者端末は、押下されると信号を発信するスイッチをさらに有し、前記受信状況マップ要求手段は、前記スイッチにて信号が発信される度に、前記テレビ放送受信状況管理サーバに対して前記受信状況マップの作成を要求する、請求項８に記載のテレビ放送受信状況管理システム。
【請求項１０】
ネットワークを介して複数のテレビ放送受信機と接続され、前記複数のテレビ放送受信機の各々の受信状況を管理するテレビ放送受信状況管理サーバにおいて、
前記ネットワークを介して前記複数のテレビ放送受信機の各々に対して、テレビ放送のチャンネルごとの受信状況の計測を要求する受信状況計測要求手段と、
前記複数のテレビ放送受信機の各々から前記ネットワークを介して、テレビ放送のチャンネルごとの受信状況を示す受信状況データが送信されてきた場合、当該受信状況データをリスト化して前記複数のテレビ放送受信機の各々におけるチャンネルごとの受信状況を示す受信状況リストを作成する受信状況受信手段と、
前記受信状況リストを解析し、その解析結果に基づいて特定のテレビ放送受信機宛のメッセージを作成する受信状況リスト解析手段と、
前記受信状況解析手段にて作成されたメッセージを、前記ネットワークを介して前記特定のテレビ放送受信機に送信するメッセージ送信手段とを有することを特徴とするテレビ放送受信状況管理サーバ。
【請求項１１】
前記受信状況受信手段は、前記複数のテレビ放送受信機の各々から前記受信状況データと同時に、当該テレビ放送受信機の設置位置を示す受信機位置データが送信されてきた場合、前記受信状況データおよび前記受信機位置データをリスト化して前記受信状況リストを作成する、請求項１０に記載のテレビ放送受信状況管理サーバ。
【請求項１２】
所定時間ごとに信号を発信するタイマをさらに有し、前記受信状況計測要求手段は、前記タイマにて信号が発信される度に、前記複数のテレビ放送受信機の各々に対して受信状況の計測を要求する、請求項１０または１１に記載のテレビ放送受信状況管理サーバ。
【請求項１３】
前記受信状況リスト解析手段は、前記受信状況リストの解析結果に基づいて、受信状況が悪い要因がテレビ放送受信機自体にあると予測されるテレビ放送受信機を前記特定のテレビ放送受信機として特定し、当該特定のテレビ放送受信機宛のメッセージを作成する、請求項１０から１２のいずれか１項に記載のテレビ放送受信状況管理サーバ。
【請求項１４】
前記ネットワークを介して移動体端末から受信状況マップの作成要求が送信されてきた場合、テレビ放送のチャンネルごとに、前記移動体受信機の現在位置周辺の受信状況を地図上に記述した前記受信状況マップを作成する受信状況マップ作成手段と、
前記受信状況マップ作成手段にて作成されたチャンネルごとの前記受信状況マップを前記移動体受信機に対して前記ネットワークを介して送信する受信状況マップ送信手段とをさらに有する、請求項１０から１３のいずれか１項に記載のテレビ放送受信状況管理サーバ。
【請求項１５】
前記受信状況マップ作成手段は、前記ネットワークを介して放送業者端末から前記受信状況マップの作成要求が送信されてきた場合、テレビ放送のチャンネルごとに、前記放送業者端末の設置位置周辺の受信状況を地図上に記述した前記受信状況マップを作成し、
前記受信状況マップ送信手段は、前記受信状況マップ作成手段にて作成されたチャンネルごとの前記受信状況マップを、前記放送業者端末に対して前記ネットワークを介して送信する、請求項１４に記載のテレビ放送受信状況管理サーバ。
【請求項１６】
複数のテレビ放送受信機の各々の受信状況を管理するテレビ放送受信状況管理サーバにネットワークを介して接続されたテレビ放送受信機において、
前記テレビ放送受信状況管理サーバから前記ネットワークを介して、受信状況の計測要求が送信されてきた場合、テレビ放送のチャンネルごとの受信状況を計測する受信状況計測手段と、
前記受信状況計測手段における受信状況の計測結果を受信状況データとして、前記ネットワークを介して前記テレビ放送受信状況管理サーバに送信するデータ送信手段と、
前記テレビ放送受信状況管理サーバから前記ネットワークを介して、前記受信状況計測手段における受信状況の計測結果に応じたメッセージが送信されてきた場合、当該メッセージを表示する表示手段とを有することを特徴とするテレビ放送受信機。
【請求項１７】
前記データ送信手段は、前記テレビ放送受信状況管理サーバに対して前記受信状況データを送信する際に、自己のテレビ放送受信機の設置位置を示す受信機位置データを同時に送信する、請求項１６に記載のテレビ放送受信機。
【請求項１８】
複数のテレビ放送受信機の各々の受信状況を管理するテレビ放送受信状況管理サーバにネットワークを介して接続され、テレビ放送を受信可能な移動体受信機において、
自己の移動体端末の現在位置を示す位置情報を取得する位置情報取得手段と、
前記位置情報取得手段にて取得された位置情報を前記ネットワークを介して前記テレビ放送受信状況管理サーバに対して送信し、テレビ放送のチャンネルごとに、自己の移動体受信機の現在位置周辺の受信状況を地図上に記述した受信状況マップの作成を要求する受信状況マップ要求手段と、
前記テレビ放送受信状況管理サーバから前記ネットワークを介して前記受信状況マップが送信されてきた場合、当該受信状況マップを表示する表示手段とを有することを特徴とする移動体受信機。
【請求項１９】
押下されると信号を発信するスイッチをさらに有し、前記受信状況マップ要求手段は、前記スイッチにて信号が発信される度に、前記テレビ放送受信状況管理サーバに対して前記受信状況マップの作成を要求する、請求項１８に記載の移動体受信機。
【請求項２０】
複数のテレビ放送受信機の各々の受信状況を管理するテレビ放送受信状況管理サーバにネットワークを介して接続され、電波を用いてテレビ放送を送出する放送鉄塔の管理を行う放送業者が所有する放送業者端末において、
前記放送業者端末の設置位置を示す端末位置データを前記ネットワークを介して前記テレビ放送受信状況管理サーバに対して送信し、テレビ放送のチャンネルごとに、前記放送業者端末の設置位置周辺の受信状況を地図上に記述した受信状況マップの作成を要求する受信状況マップ要求手段と、
前記テレビ放送受信状況管理サーバから前記ネットワークを介して前記受信状況マップが送信されてきた場合、当該受信状況マップを表示する表示手段とを有することを特徴とする放送業者端末。
【請求項２１】
押下されると信号を発信するスイッチをさらに有し、前記受信状況マップ要求手段は、前記スイッチにて信号が発信される度に、前記テレビ放送受信状況管理サーバに対して前記受信状況マップの作成を要求する、請求項２０に記載の放送業者端末。
【発明の詳細な説明】
【技術分野】
【０００１】
本発明は、複数のテレビ放送受信機の各々の受信状況を管理するテレビ放送受信状況管理システムに関する。
【背景技術】
【０００２】
近年、ネットワーク技術の進歩に伴い、テレビ放送受信機をネットワークに接続し、ネットワークを介してテレビ放送受信機に様々なサービスを提供する技術が多数開示されている。
【０００３】
その一例として、特許文献１には、サーバにおいて、テレビ放送受信機が設置されている地域に応じたチャンネル情報を、ネットワークを介してそのテレビ放送受信機に対して送信し、テレビ放送受信機において、チャンネル情報に基づいてチャンネルプリセットを行う技術が開示されている。
【０００４】
特許文献１に開示された技術によれば、テレビ放送受信機において、設置位置に対応したチャンネル情報の提供を受けることができるため、そのチャンネル情報に記述された全てのチャンネルのテレビ放送を本来受信できるはずである。
【０００５】
ところが、実際には、テレビ放送受信機では、様々な要因で受信障害が発生し、受信状況が悪くなる場合があり、そのような場合には、チャンネル情報に記述された全てのチャンネルのテレビ放送を受信できるとは限らない。例えば、テレビ放送受信機では、高層ビルや高圧線の影響によりゴースト障害などの受信障害が生じる場合があり、また、放送鉄塔の設置位置、テレビ放送受信機のアンテナの設置位置、ブースター障害によっても種々の受信障害が生じる場合もある。
【０００６】
そのため、テレビ放送を受信する全受信地点での受信状況の改善を図ろうとする場合には、様々な受信地点に設置されているテレビ放送受信機ごとに受信状況を把握し、受信状況が悪い受信地点については何らかの対策を講じる必要がある。
【０００７】
しかしながら、特許文献１に開示された技術では、テレビ放送受信機に受信障害が発生することは何ら想定していないため、全受信地点で受信状況の改善を図ることは困難であると考えられる。
【０００８】
また、テレビ放送を受信可能な携帯電話機などの移動体受信機の普及に伴い、ネットワークを介して移動体受信機に様々なサービスを提供する技術も開示されている。
【０００９】
その一例として、特許文献２には、携帯電話機において、現在の位置情報をネットワークを介して放送チャンネル情報提供装置へ送信し、放送チャンネル情報提供装置において、位置情報に対応する放送チャンネル情報をネットワークを介して携帯電話機に送信する技術が開示されている。
【００１０】
しかしながら、特許文献２に開示された技術では、移動体受信機が高層ビルや高圧線の影響を受けやすい受信地点に移動した時など、受信障害が発生する可能性が高いにもかかわらず、移動体受信機に受信障害が発生することは何ら想定していないため、全受信地点で受信状況の改善を図ることは困難であると考えられる。さらに、山間部など放送電波を受信できない地域において、どこへ移動すれば放送電波を受信できるかを知ることができない。
【特許文献１】特開平１０−２５７４０２号公報
【特許文献２】特開２００４−２０１１１７号公報
【発明の開示】
【発明が解決しようとする課題】
【００１１】
以上説明したように、従来技術においては、受信地点のいずれかで受信障害が発生している場合にも、受信障害が発生しているテレビ放送受信機や移動体受信機の受信状況を改善するための対策が何も講じられていないために、全受信地点で受信状況の改善を図ることが困難であるという課題があった。
【００１２】
そこで、本発明の目的は、テレビ放送を受信する全受信地点で、受信状況を改善することができるテレビ放送受信状況管理システムを提供することにある。
【課題を解決するための手段】
【００１３】
上記目的を達成するために本願発明は、テレビ放送受信状況管理サーバにおいて、複数のテレビ放送受信機の各々のチャンネルごとの受信状況を示した受信状況データをネットワーク経由で受信し、受信した受信状況データに基づいてテレビ放送受信機にメッセージを送信することを特徴とする。
【００１４】
このため、例えば、本来受信状況が良いはずであるにも関わらず受信状況が悪いテレビ放送受信機がある場合には、そのテレビ放送受信機の受信状況が悪い要因がテレビ放送受信機自体にあると予測し、そのテレビ放送受信機に対しては、アンテナが正しく設置されているか、ブースターに故障が発生していないか、などを確認させるメッセージを送信することができる。
【００１５】
これにより、テレビ放送受信機自体の要因で受信状況が悪いテレビ放送受信機に対してはメッセージを送信して受信状況を改善させることができる。また、テレビ放送受信機そのものが測定器となるため、テレビ放送受信機個別の受信状況を把握することができ、さらに、ネットワーク経由で情報を収集するため、リアルタイムにかつ安価に受信状況を収集し、迅速に受信状況の改善を行うことができる。
【００１６】
また、テレビ放送受信状況管理サーバにおいて、チャンネルごとに、移動体受信機の現在位置周辺または放送業者端末の設置位置周辺の受信状況を地図上に記述した受信状況マップを作成し、作成した受信状況マップをネットワーク経由で移動体受信機や放送業者端末に送信することを特徴とする。
【００１７】
これにより、移動体受信機に対して、受信状況の良い受信地点を示すことができるため、移動体受信機を使用する者が受信状況の良い受信地点に移動して所望のチャンネルのテレビ放送を受信することが期待できる。また、放送業者端末に対しては、どの受信地点に受信障害が発生しているかを示すことができるため、放送業者が、受信障害が発生している地域への放送電波を増強したり、そのチャンネルのテレビ放送がデジタル放送であればエラー訂正の強度を変更したりすることが期待できる。
【発明の効果】
【００１８】
以上説明したように本発明によれば、テレビ放送受信状況管理サーバにおいて、複数のテレビ放送受信機の各々におけるチャンネルごとの受信状況を示す受信状況データをネットワーク経由で受信し、受信した受信状況データに基づいてテレビ放送受信機にメッセージを送信しているため、受信状況が悪いテレビ放送受信機に対してはメッセージを送信して受信状況を改善させることができ、それにより、全受信地点で受信状況を改善することができるという効果を奏する。
【発明を実施するための最良の形態】
【００１９】
以下に、本発明を実施するための最良の形態について図面を参照して説明する。
【００２０】
（第１の実施形態）
図１に、本発明の第１の実施形態のテレビ放送受信状況管理システムの構成を示す。
【００２１】
図１に示すように、本実施形態のテレビ放送受信状況管理システムは、様々な受信地点に設置されている複数のテレビ放送受信機１０1〜１０nがネットワーク３０を介して接続されており、複数のテレビ放送受信機１０1〜１０nの各々の受信状況を管理するテレビ放送受信状況管理サーバ２０を有している。
【００２２】
複数のテレビ放送受信機１０1〜１０nの各々は、アンテナ１０１と、テレビ放送受信部１０２と、ネットワークアダプタ１０３と、計測要求受信部１０４と、受信状況計測部１０５と、データベース１０６と、データ送信部１０７と、メッセージ受信部１０８と、表示手段であるモニタ１０９とを有している。
【００２３】
テレビ放送受信部１０２は、放送鉄塔から放送電波を用いて送出されたテレビ放送をアンテナ１０１を介して受信する。
【００２４】
ネットワークアダプタ１０３は、ネットワーク３０とのインターフェース部分である。
【００２５】
計測要求受信部１０４は、テレビ放送受信状況管理サーバ２０からネットワーク３０およびネットワークアダプタ１０３を介して受信状況の計測要求を受信する。
【００２６】
受信状況計測部１０５は、計測要求受信部１０４にて受信状況の計測要求が受信されると、データベース１０４に格納されたプリセット情報に記述されているチャンネルごとに、電波受信レベル［ｄＢ（μＶ／ｍ）］、ＣＮ比（Carrier to Noise ratio）［ｄＢ］、ゴースト強度などの受信状況を計測し、その計測結果を受信状況データとしてデータベース１０６に格納する。
【００２７】
なお、受信状況計測部１０５における電波受信レベル、ＣＮ比の計測方法については、任意の公知技術を用いて計測することができる。また、ゴースト強度の計測方法としては、テレビ放送の垂直帰線信号に含まれるゴースト基準信号に基づいて、ゴースト強度が弱であるか強であるかを判断する方法が挙げられる。
【００２８】
データベース１０６には、上述のように、プリセット情報（自己のテレビ放送受信機にプリセットされている各チャンネルの放送局コードなど）や受信状況データが格納される他、自己のテレビ放送受信機の設置位置を示す受信機位置データが格納される。
【００２９】
データ送信部１０７は、データベース１０６に格納されている受信状況データと受信機位置データとを、ネットワークアダプタ１０３およびネットワーク３０を介して、テレビ放送受信状況管理サーバ２０に送信する。
【００３０】
メッセージ受信部１０８は、自己のテレビ放送受信機の受信状況が良くないとテレビ放送受信状況管理サーバ２０にて判断された場合に、テレビ放送受信状況管理サーバ２０からネットワーク３０およびネットワークアダプタ１０３を介して、自己のテレビ放送受信機の受信状況に応じたメッセージを受信する。
【００３１】
モニタ１０９は、テレビ放送受信部１０２にて受信されたテレビ放送の映像を表示するとともに、メッセージ受信部１０８にて受信されたメッセージを表示する。
【００３２】
テレビ放送受信状況管理サーバ２０は、ネットワークアダプタ２０１と、タイマ２０２と、受信状況計測要求部２０３と、受信状況受信部２０４と、データベース２０５と、受信状況リスト解析部２０６と、メッセージ送信部２０７とを有している。
【００３３】
ネットワークアダプタ２０１は、ネットワーク３０とのインターフェース部分である。
【００３４】
タイマ２０２は、所定期間ごと（例えば、１週間ごと）に信号を発信する。
【００３５】
受信状況計測要求部２０３は、タイマ２０２にて信号が発信される度に、ネットワークアダプタ２０１およびネットワーク３０を介して、複数のテレビ放送受信機１０1〜１０nの各々に受信状況の計測要求を行う。例えば、受信状況計測要求部２０３は、受信状況の計測要求を行う際には、その旨を記述したメッセージ等の情報を送信することになる。
【００３６】
受信状況受信部２０４は、複数のテレビ放送受信機１０1〜１０nの各々からネットワーク３０およびネットワークアダプタ２０１を介して、受信状況データと受信機位置データとを受信し、受信した受信状況データと受信機位置データとをリスト化することで受信状況リストを生成してデータベース２０５に格納する。
【００３７】
図２に、データベース２０５に格納される受信状況リストの一例を示す。
【００３８】
図２に示すように、受信状況リストは、複数のテレビ放送受信機１０1〜１０nの各々について、チャンネルごとに、放送電波の電波受信レベル、ＣＮ比、ゴースト強度、受信状況の総合評価がリスト化されている。なお、受信状況の総合評価が○（良）であるか×（悪）であるかを判断する方法としては、電波受信レベルおよびＣＮ比がいずれも予め決められている設定値以上で、かつ、ゴースト強度が弱である場合に、受信状況の総合評価が○であると判断する方法があるが、特にこの方法には限定されない。
【００３９】
受信状況リスト解析部２０６は、データベース２０５に格納された受信状況リストの解析を行う。解析の結果、本来受信状況が良いはずであるにもかかわらず、受信状況が悪いテレビ放送受信機がある場合は、そのテレビ放送受信機の受信状況が悪い要因がテレビ放送受信機自体にあると予測し、そのテレビ放送受信機宛に送信するメッセージを作成する。ここで作成するメッセージは、例えば、アンテナが正しく設置されているか、ブースターに故障が発生していないかなどを確認させるメッセージとなる。
【００４０】
なお、受信状況リスト解析部２０６において、本来受信状況が良いはずであるにもかかわらず、受信状況が悪いテレビ放送受信機があるか否かを判断する方法としては、例えば、対象のテレビ放送受信機の設置位置を中心とした所定範囲内（例えば、半径１００ｍ以内）にある全テレビ放送受信機の受信状況を確認し、所定範囲内の全テレビ放送受信機の中で受信状況が良いテレビ放送受信機の割合が所定値以上（例えば、８０％以上）であるか否かで判断する方法があるが、特にこの方法には限定されない。
【００４１】
メッセージ送信部２０７は、受信状況リスト解析部２０６にて受信状況が良くないテレビ放送受信機宛のメッセージが作成された場合、そのテレビ放送受信機に対して、ネットワークアダプタ２０１およびネットワーク３０を介して、メッセージを送信する。
【００４２】
以下、本実施形態のテレビ放送受信状況管理システムの動作について説明する。
【００４３】
図３に、図１に示したテレビ放送受信状況管理システムにおいて、受信状況リストを作成する場合の動作を説明するフローチャートを示す。
【００４４】
図３に示すように、まず、テレビ放送受信状況管理サーバ２０においては、受信状況計測要求部２０３は、タイマ２０２にて信号が発信されると（ステップ３０１）、ネットワーク３０を介して、複数のテレビ放送受信機１０1〜１０nの各々に受信状況の計測要求を行う（ステップ３０２）。
【００４５】
次に、複数のテレビ放送受信機１０1〜１０nの各々においては、計測要求受信部１０４にてテレビ放送受信状況管理サーバ２０からの受信状況の計測要求が受信されると（ステップ３０３）、受信状況計測部１０５は、チャンネルごとに受信状況を計測し（ステップ３０４）、データ送信部１０７は、受信状況計測部１０５にて計測された受信状況データを、受信機位置データとともにネットワーク３０を介してテレビ放送受信状況管理サーバ２０に送信する（ステップ３０５）。
【００４６】
その後、テレビ放送受信状況管理サーバ２０においては、受信状況受信部２０４は、複数のテレビ放送受信機１０1〜１０nの各々からネットワーク３０を介して、受信状況データと受信機位置データとを受信し（ステップ３０６）、受信したデータをリスト化することで受信状況リストを生成し、データベース２０５に格納する（ステップ３０７）。
【００４７】
図４に、図１に示したテレビ放送受信状況管理システムにおいて、テレビ放送受信機１０1〜１０nのいずれかにメッセージを送信する場合の動作を説明するフローチャートを示す。ここでは、テレビ放送受信機１０1にメッセージを送信する場合の動作について説明する。
【００４８】
図４に示すように、まず、テレビ放送受信状況管理サーバ２０においては、受信状況リスト解析部２０６は、データベース２０５に格納された受信状況リストを解析し、本来受信状況が良いはずであるにもかかわらず、受信状況が悪いテレビ放送受信機があるか否かを判断する（ステップ４０１）。その結果、テレビ放送受信機１０1が該当すると判断した場合、受信状況リスト解析部２０６は、テレビ放送受信機１０1の受信状況が悪い要因がテレビ放送受信機１０1自体にあると予測し、テレビ放送受信機１０1宛に送信するメッセージを作成し（ステップ４０２）、メッセージ送信部２０７は、受信状況リスト解析部２０６にて作成されたメッセージを、ネットワーク３０を介してテレビ放送受信機１０1に対して送信する（ステップ４０３）。
【００４９】
その後、テレビ放送受信機１０1においては、メッセージ受信部１０８は、テレビ放送受信状況管理サーバ２０からのメッセージを受信し（ステップ４０４）、受信したメッセージをモニタ１０９に表示する（ステップ４０５）。
【００５０】
上述したように本実施形態においては、テレビ放送受信状況管理サーバ２０において、複数のテレビ放送受信機１０1〜１０nの各々のチャンネルごとの受信状況を示した受信状況データをネットワーク３０経由で収集し、収集した受信状況データに基づいてテレビ放送受信機にメッセージを送信する構成となっている。
【００５１】
このため、例えば、本来受信状況が良いはずであるにも関わらず受信状況が良くないテレビ放送受信機がある場合は、そのテレビ放送受信機の受信状況が悪い要因がテレビ放送受信機自体にあると予測し、そのテレビ放送受信機に対しては、アンテナが正しく設置されているか、ブースターに故障が発生していないか、などを確認させるメッセージを送信することができる。
【００５２】
これにより、テレビ放送受信機自体の要因で受信状況が悪いテレビ放送受信機に対してはメッセージを送信して受信状況を改善させることができる。また、テレビ放送受信機そのものが測定器となるため、テレビ放送受信機個別の受信状況を把握することができ、さらに、ネットワーク３０経由で情報を収集するため、リアルタイムにかつ安価に受信状況を収集し、迅速に受信状況の改善を行うことができる。
【００５３】
また、本実施形態においては、テレビ放送受信状況管理サーバ２０において、タイマ２０２にて信号が発信される度に、複数のテレビ放送受信機１０1〜１０nの各々に対して受信状況の計測を要求する構成となっているため、タイマ２０２の間隔を調整することで受信状況の計測要求を行う頻度を任意に設定することが可能となる。
【００５４】
（第２の実施形態）
図５に、本発明の第２の実施形態のテレビ放送受信状況管理システムの構成を示す。
【００５５】
図５に示すように、本実施形態のテレビ放送受信状況管理システムは、図１に示した第１の実施形態に対して、ネットワーク３０に接続される複数の移動体受信機４０1〜４０mおよび放送業者端末５０を追加した点と、テレビ放送受信状況管理サーバ２０をテレビ放送受信状況管理サーバ２０Ａに変更した点とが異なる。なお、図５において、図１と同様の部分については同一の符号を付している。
【００５６】
複数の移動体受信機４０1〜４０mの各々は、テレビ放送を受信可能な携帯電話機、ＰＤＡ（Personal Digital Assistance）等の移動体受信機であり、アンテナ４０１と、テレビ放送受信部４０２と、ネットワークアダプタ４０３と、受信状況マップ要求スイッチ４０４と、ＧＰＳ（Global Positioning System）アンテナ４０５と、位置情報取得部４０６と、受信状況マップ要求部４０７と、受信状況マップ受信部４０８と、表示手段であるモニタ４０９とを有している。
【００５７】
テレビ放送受信部４０２は、放送鉄塔から放送電波を用いて送出されたテレビ放送をアンテナ４０１を介して受信する。
【００５８】
ネットワークアダプタ４０３は、ネットワーク３０とのインターフェース部分である。
【００５９】
受信状況マップ要求スイッチ４０４は、ユーザが受信状況マップ（詳細は後述）を要求する際に押下されるスイッチであり、押下されると信号を発信する。
【００６０】
位置情報取得部４０６は、受信状況マップ要求スイッチ４０４にて信号が発信されると、不図示のＧＰＳ衛星からＧＰＳアンテナ４０５を介して、自己の移動体受信機の現在位置を示す位置情報としてＧＰＳデータを受信する。
【００６１】
受信状況マップ要求部４０７は、受信状況マップ要求スイッチ４０４にて信号が発信される度に、位置情報取得部４０６にて取得された自己の移動体端末の位置情報を、ネットワークアダプタ４０３およびネットワーク３０を介してテレビ放送受信状況管理サーバ２０Ａに対して送信し、自己の移動体端末の現在位置周辺のチャンネルごとの受信状況マップの作成を要求する。例えば、受信状況マップ要求部４０７は、受信状況マップの作成要求を行う際には、その旨を記述したメッセージ等の情報を送信することになる。
【００６２】
受信状況マップ受信部４０８は、テレビ放送受信状況管理サーバ２０Ａからネットワーク３０およびネットワークアダプタ４０３を介して、受信状況マップを受信する。
【００６３】
モニタ４０９は、テレビ放送受信部４０２にて受信されたテレビ放送の映像を表示するとともに、受信状況マップ受信部４０８にて受信された受信状況マップを表示する。
【００６４】
放送業者端末５０は、放送鉄塔の管理（放送鉄塔から送出される放送電波の強度を変更したり、デジタル放送であればエラー訂正の強度を変更したりする等）を行う放送業者が所有する端末であり、ネットワークアダプタ５０１と、受信状況マップ要求スイッチ５０２と、データベース５０３と、受信状況マップ要求部５０４と、受信状況マップ受信部５０５と、表示手段であるモニタ５０６とを有している。
【００６５】
ネットワークアダプタ５０１は、ネットワーク３０とのインターフェース部分である。
【００６６】
受信状況マップ要求スイッチ５０２は、ユーザが受信状況マップを要求する際に押下されるスイッチであり、押下されると信号を発信する。
【００６７】
データベース５０３は、放送業者端末５０の設置位置を示す放送業者端末位置データが格納される。
【００６８】
受信状況マップ要求部５０４は、受信状況マップ要求スイッチ５０２にて信号が発信される度に、データベース５０３に格納されている放送業者端末位置データを、ネットワークアダプタ５０１およびネットワーク３０を介してテレビ放送受信状況管理サーバ２０Ａに対して送信し、放送業者端末５０の設置位置周辺のチャンネルごとの受信状況マップの作成を要求する。例えば、受信状況マップ要求部５０４は、受信状況マップの作成要求を行う際には、その旨を記述したメッセージ等の情報を送信することになる。
【００６９】
受信状況マップ受信部５０５は、テレビ放送受信状況管理サーバ２０Ａからネットワーク３０およびネットワークアダプタ５０１を介して、受信状況マップを受信する。
【００７０】
モニタ５０６は、受信状況マップ受信部５０５にて受信された受信状況マップを表示する。
【００７１】
テレビ放送受信状況管理サーバ２０Ａは、図１に示したテレビ放送受信状況管理サーバ２０に対して、受信状況マップ要求受信部２０８、受信状況マップ作成部２０９、および受信状況マップ送信部２１０を追加した点と、データベース２０５をデータベース２０５Ａに変更した点とが異なる。
【００７２】
受信状況マップ要求受信部２０８は、複数の移動体受信機４０1〜４０mまたは放送業者端末５０からネットワーク３０およびネットワークアダプタ２０１を介して、チャンネルごとの受信状況マップの作成要求を受信する。
【００７３】
データベース２０５Ａには、受信状況受信部２０４にて作成された受信状況リストの他、位置情報に対応付けられたチャンネル情報が格納される。チャンネル情報には、位置情報で示される受信地点にて受信可能なチャンネルの放送局コードなどが含まれている。
【００７４】
受信状況マップ作成部２０９は、受信状況マップ要求受信部２０８にて移動体受信機４０1〜４０mまたは放送業者端末５０からの受信状況マップの作成要求が受信されると、移動体受信機４０1〜４０mの現在位置の位置情報または放送業者端末５０の設置位置の位置情報に対応するチャンネル情報に記述されているチャンネルごとに、移動体受信機４０1〜４０mの現在位置周辺または放送業者端末５０の設置位置周辺の受信状況を地図上に記述した受信状況マップを作成する。
【００７５】
図６に、受信状況マップ作成部２０９にて作成される受信状況マップの一例を示す。
【００７６】
図６に示すように、受信状況マップは、移動体受信機４０1〜４０mの現在位置周辺または放送業者端末５０の設置位置周辺の受信状況を地図上に記述したものである。受信状況マップ作成部２０９は、図３のような受信状況マップをチャンネルごとに作成する。
【００７７】
なお、図６の受信状況マップを参照すると、ある受信地点に設置されているテレビ放送受信機では周囲の受信状況が全体的に良いにもかかわらず、例外的に受信状況が悪いことが明瞭になることがわかる。そのため、受信状況リスト解析部２０６は、受信状況リストを解析する過程において、受信状況マップ作成部２０９に所望の地域の受信状況マップを作成させて、その受信状況マップを参照することにより、本来受信状況が良いはずであるにもかかわらず、受信状況が良くないテレビ放送受信機があるか否かを判断することも可能である。
【００７８】
受信状況マップ送信部２１０は、受信状況マップ作成部２０９にて作成された受信状況マップを、ネットワークアダプタ２０１およびネットワーク３０を介して、移動体受信機４０1〜４０mまたは放送業者端末５０に送信する。
【００７９】
以下、本実施形態のテレビ放送受信状況管理システムの動作について説明する。なお、本実施形態においては、受信状況リストを作成する動作、テレビ放送受信機１０1〜１０nのいずれか宛にメッセージを送信する動作については、第１の実施形態と同様であるので説明を省略する。
【００８０】
図７に、図５に示したテレビ放送受信状況管理システムにおいて、移動体受信機４０1〜４０mのいずれかに受信状況マップを送信する場合の動作を説明するフローチャートを示す。ここでは、移動体受信機４０1に受信状況マップを送信する場合の動作について説明する。
【００８１】
図７に示すように、まず、移動体受信機４０1においては、受信状況マップ要求スイッチ４０４が押下されて、受信状況マップ要求スイッチ４０４にて信号が発信されると（ステップ７０１）、位置情報取得部４０６は、移動体受信機４０1の現在位置の位置情報を取得し（ステップ７０２）、受信状況マップ要求部４０７は、移動体受信機４０1の現在位置の位置情報をネットワーク３０を介してテレビ放送受信状況管理サーバ２０Ａに対して送信し、移動体受信機４０1の現在位置周辺のチャンネルごとの受信状況マップの作成を要求する（ステップ７０３）。
【００８２】
次に、テレビ放送受信状況管理サーバ２０Ａにおいては、受信状況マップ要求受信部２０８にて移動体受信機４０1からの受信状況マップの作成要求が受信されると（ステップ７０４）、受信状況マップ作成部２０９は、チャンネルごとに、移動体受信機４０1の現在位置周辺の受信状況マップを作成し（ステップ７０５）、受信状況マップ送信部２１０は、受信状況マップ作成部２０９にて作成されたチャンネルごとの受信状況マップを、ネットワーク３０を介して移動体受信機４０1に送信する（ステップ７０６）。
【００８３】
その後、移動体受信機４０1においては、受信状況マップ受信部４０は、テレビ放送受信状況管理サーバ２０Ａからネットワーク３０を介して受信状況マップを受信し（ステップ７０７）、受信した受信状況マップをモニタ４０９に表示する（ステップ７０８）。
【００８４】
なお、放送業者端末５０に受信状況マップを送信する場合の動作については、図７のステップ７０２，７０３において、受信状況マップ要求部５０４が、データベース５０３に予め格納されている放送業者端末５０の放送業者端末位置データをテレビ放送受信状況管理サーバ２０Ａに送信して受信状況マップを要求すること以外は、図７と同様である。
【００８５】
上述したように本実施形態においては、テレビ放送受信状況管理サーバ２０Ａにおいて、チャンネルごとに、移動体受信機４０1〜４０mの設置位置周辺または放送業者端末５０の現在位置周辺の受信状況を地図上に記述した受信状況マップを作成し、作成した受信状況マップをネットワーク経由３０で移動体受信機４０1〜４０mまたは放送業者端末５０に送信する構成となっている。
【００８６】
これにより、移動体受信機４０1〜４０mに対して、受信状況の良い受信地点を示すことができるため、移動体受信機４０1〜４０mを使用する者が受信状況の良い受信地点に移動して所望のチャンネルのテレビ放送を受信することが期待できる。また、放送業者端末５０に対しては、どの受信地点に受信障害が発生しているかを示すことができるため、放送業者が、受信障害が発生している地域への放送電波を増強したり、そのチャンネルのテレビ放送がデジタル放送であればエラー訂正の強度を変更したりすることが期待できる。
【００８７】
また、本実施形態においては、移動体受信機４０1〜４０mおよび放送業者端末５０において、それぞれ、受信状況マップ要求スイッチ４０４および受信状況マップ要求スイッチ５０２にて信号が発信される度に、テレビ放送受信状況管理サーバ２０に対して受信状況マップの作成を要求する構成となっているため、スイッチを押下することで任意の時間に任意の場所で受信状況マップを取得することが可能となる。
【図面の簡単な説明】
【００８８】
【図１】本発明の第１の実施形態のテレビ放送受信状況管理システムの構成を示す図である。
【図２】図１に示した受信状況受信部にて作成される受信状況リストの一例を示す図である。
【図３】図１に示したテレビ放送受信状況管理システムにおいて、受信状況リストを作成する場合の動作を説明するフローチャートである。
【図４】図１に示したテレビ放送受信状況管理システムにおいて、テレビ放送受信機にメッセージを送信する場合の動作を説明するフローチャートである。
【図５】本発明の第２の実施形態のテレビ放送受信状況管理システムの構成を示す図である。
【図６】図５に示した受信状況マップ作成部にて作成される受信状況マップの一例を示す図である。
【図７】図５に示したテレビ放送受信状況管理システムにおいて、移動体受信機に受信状況マップを送信する場合の動作を説明するフローチャートである。
【符号の説明】
【００８９】
１０1〜１０n    テレビ放送受信機
２０，２０Ａ    テレビ放送受信状況管理サーバ
３０    ネットワーク
４０1〜４０m    移動体受信機
５０    放送業者端末
【図１】
2006094143.tif 000003
【図２】
2006094143.tif 000004
【図３】
2006094143.tif 000005
【図４】
2006094143.tif 000006
【図５】
2006094143.tif 000007
【図６】
2006094143.tif 000008
【図７】
2006094143.tif 000009